(57)【要約】【課題】字幕提示機能を有するＴＶ放送受信装置において、ユーザが、冗長的な手順を経ることなく字幕を提示する際のフォーマットを変更できるようにする。【解決手段】ユーザに複数のパラメータを選択させて字幕のフォーマットを設定させる際、フォントタイプ及びサイズの選択要素をマトリクス状に配列したフォント選択画像、文字色及び背景色の選択要素をマトリクス状に配列したカラー選択画像、エッジタイプ及びエッジの色の選択要素をマトリクス状に配列したエッジ選択画像、文字及び背景の不透過度をマトリクス状に配列した不透過度選択画像の順にモニタ出力し（Ｓ１，Ｓ３，Ｓ７，Ｓ８，Ｓ１１，Ｓ１２，Ｓ１３）、これら各選択画像に基づいて、ユーザに各パラメータを選択させる（Ｓ２，Ｓ４，Ｓ９，Ｓ１０，Ｓ１４，Ｓ１５，Ｓ１６）。この際、文字色及び／又は背景色として透過色が選択されたか否かにより（Ｓ５，Ｓ６）、表示する選択画像を変更する。【選択図】図３
2006041749.tif 000002
【特許請求の範囲】
【請求項１】
テレビジョン放送信号から字幕情報を抽出する字幕情報抽出手段と、
前記字幕情報抽出手段により抽出された字幕情報を、テレビ番組の映像に重ねて、所定フォーマットでモニタ出力する字幕出力手段と、
前記字幕出力手段によりモニタ出力する字幕情報のフォーマットを、放送局側で指定されたフォーマットからユーザが所望するフォーマットに変更するために、前記フォーマットに含まれる複数のパラメータを変更するパラメータ変更手段とを備えたテレビジョン放送受信装置であって、
前記パラメータは、前記字幕情報のフォントタイプ、サイズ、文字色、背景色、エッジタイプ、エッジの色、文字の不透過度、及び背景の不透過度を含み、前記文字色及び背景色には、透過色が含まれ、
前記フォントタイプ及びサイズをユーザに選択させるために、選択可能なフォントタイプ及びサイズをマトリクス状に配列したフォント選択画像を、テレビ番組の映像に重ねてモニタ出力するフォント選択画像表示手段と、
前記フォント選択画像表示手段によりモニタ出力されたフォント選択画像の中から、ユーザに所望するフォントタイプ及びサイズを選択させるためのフォント選択手段と、
前記文字色及び背景色をユーザに選択させるために、前記フォント選択手段により選択されたフォントタイプ及びサイズについて、選択可能な文字色及び背景色をマトリクス状に配列したカラー選択画像を、テレビ番組の映像に重ねてモニタ出力するカラー選択画像表示手段と、
前記カラー選択画像表示手段によりモニタ出力されたカラー選択画像の中から、ユーザに所望する文字色及び背景色を選択させるためのカラー選択手段と、
前記エッジタイプ及びエッジの色をユーザに選択させるために、前記カラー選択手段により選択された文字色が透過色以外である場合に、前記フォント選択手段により選択されたフォントタイプ及びサイズ、並びに、前記カラー選択手段により選択された文字色及び背景色について、選択可能なエッジタイプ及びエッジの色をマトリクス状に配列したエッジ選択画像を、テレビ番組の映像に重ねてモニタ出力するエッジ選択画像表示手段と、
前記エッジ選択画像表示手段によりモニタ出力されたエッジ選択画像の中から、ユーザに所望するエッジタイプ及びエッジの色を選択させるためのエッジ選択手段と、
前記文字及び背景の不透過度をユーザに選択させるために、前記フォント選択手段により選択されたフォントタイプ及びサイズ、前記カラー選択手段により選択された文字色及び背景色、並びに、エッジ選択手段により選択されたエッジタイプ及びエッジの色について、前記カラー選択手段により選択された文字色が透過色である場合には、選択可能な背景の不透過度のみを配列した不透過度選択画像をモニタ出力し、前記カラー選択手段により選択された背景色が透過色である場合には、選択可能な文字の不透過度のみを配列した不透過度選択画像をモニタ出力し、前記カラー選択手段により選択された文字色及び背景色が透過色以外である場合には、選択可能な文字及び背景の不透過度をマトリクス状に配列した不透過度選択画像を、テレビ番組の映像に重ねてモニタ出力する不透過度選択画像表示手段と、
前記不透過度選択画像表示手段によりモニタ出力された不透過度選択画像の中から、ユーザに所望する文字の不透過度、及び／又は、背景の不透過度を選択させるための不透過度選択手段とを備え、
前記パラメータ変更手段は、前記フォント選択手段、前記カラー選択手段、前記エッジ選択手段、及び前記不透過度選択手段により選択された各パラメータに基づいて、前記字幕出力手段によりモニタ出力する字幕情報のフォーマットを変更することを特徴とするテレビジョン放送受信装置。
【請求項２】
テレビジョン放送信号から字幕情報を抽出する字幕情報抽出手段と、
前記字幕情報抽出手段により抽出された字幕情報を、テレビ番組の映像に重ねて、所定フォーマットでモニタ出力する字幕出力手段と、
前記字幕出力手段によりモニタ出力する字幕情報のフォーマットを、放送局側で指定されたフォーマットからユーザが所望するフォーマットに変更するために、前記フォーマットに含まれる複数のパラメータを変更するパラメータ変更手段とを備えたテレビジョン放送受信装置であって、
前記パラメータをユーザに選択させるために、２種類のパラメータの各選択要素をマトリクス状に配列した選択画像を、テレビ番組の映像に重ねてモニタ出力する選択画像表示手段と、
前記選択画像表示手段によりモニタ出力された選択画像の中から、ユーザに所望するパラメータを選択させるためのパラメータ選択手段とを備え、
前記パラメータ変更手段は、前記パラメータ選択手段により選択された各パラメータに基づいて、前記字幕出力手段によりモニタ出力する字幕情報のフォーマットを変更することを特徴とするテレビジョン放送受信装置。
【請求項３】
前記パラメータは、前記字幕情報の文字色、背景色、文字の不透過度、及び背景の不透過度を含み、前記文字色及び背景色には、透過色が含まれ、
前記選択画像表示手段は、前記字幕情報の文字色及び背景色をユーザに選択させるためのカラー選択画像をモニタ出力するカラー選択画像表示手段と、前記字幕情報の文字及び背景の不透過度をユーザに選択させるための不透過度選択画像をモニタ出力する不透過度選択画像表示手段とを有し、
前記パラメータ選択手段は、前記カラー選択画像表示手段によりモニタ出力されたカラー選択画像の中から、ユーザに所望する文字色及び背景色を選択させるためのカラー選択手段と、前記不透過度選択画像表示手段によりモニタ出力された不透過度選択画像の中から、ユーザに所望する文字の不透過度、及び／又は、背景の不透過度を選択させるための不透過度選択手段とを有し、
前記カラー選択画像表示手段は、選択可能な文字色及び背景色をマトリクス状に配列したカラー選択画像をモニタ出力する手段であり、
前記不透過度選択画像表示手段は、前記カラー選択手段により選択された文字色及び背景色について、前記カラー選択手段により選択された文字色が透過色である場合には、選択可能な背景の不透過度のみを配列した不透過度選択画像をモニタ出力し、前記カラー選択手段により選択された背景色が透過色である場合には、選択可能な文字の不透過度のみを配列した不透過度選択画像をモニタ出力し、前記カラー選択手段により選択された文字色及び背景色が透過色以外である場合には、選択可能な文字及び背景の不透過度をマトリクス状に配列した不透過度選択画像をモニタ出力する手段であることを特徴とする請求項２に記載のテレビジョン放送受信装置。
【請求項４】
前記パラメータは、前記字幕情報のエッジタイプ及びエッジの色を更に含み、
前記選択画像表示手段は、前記エッジタイプ及びエッジの色をユーザに選択させるために、前記カラー選択手段により選択された文字色が透過色以外である場合に、前記カラー選択手段により選択された文字色及び背景色について、選択可能なエッジタイプ及びエッジの色をマトリクス状に配列したエッジ選択画像をモニタ出力するエッジ選択画像表示手段を更に有し、
前記パラメータ選択手段は、前記エッジ選択画像表示手段によりモニタ出力されたエッジ選択画像の中から、ユーザに所望するエッジタイプ及びエッジの色を選択させるためのエッジ選択手段を更に有することを特徴とする請求項３に記載のテレビジョン放送受信装置。
【発明の詳細な説明】
【技術分野】
【０００１】
本発明は、字幕提示機能を有するテレビジョン放送受信装置に関する。
【背景技術】
【０００２】
従来から、クローズドキャプション等の字幕情報を含むテレビジョン放送信号から、字幕情報を抽出し、抽出された字幕情報をテレビ番組の映像に重ねてモニタ出力する字幕提示機能を備えたテレビジョン放送受信装置が知られている。
【０００３】
米国においては、ＥＩＡ−６０８規格及びＥＩＡ−７０８規格によりクローズドキャプションに関する標準が定められており、放送局は、これらの規格に準じたテレビジョン放送信号を配信することにより、クローズキャプションのフォーマットの各種パラメータを細かく指定して、受信装置側でクローズキャプションを提示させることが可能である。
【０００４】
また、ＥＩＡ−７０８規格では、ユーザが上記パラメータの一部を受信装置側で任意に設定することができる仕様を定めている。図１２に示されるように、このようなパラメータ１３０には、フォントタイプ１３１、サイズ１３２、文字色（FOREGROUND  COLOR）１３３、背景色（BACKGROUND  COLOR）１３４、エッジの色（EDGE  COLOR）１３５、エッジタイプ（EDGE  TYPE）１３６、文字の不透過度（FOREGROUND  OPACITY）１３７、及び背景の不透過度（BACKGROUND  OPACITY）１３８等があり、各パラメータ１３１〜１３８には、複数の選択要素１３１ａ〜１３８ａが含まれている。ＥＩＡ−７０８規格に準拠したテレビジョン放送受信装置では、ユーザは、これらのパラメータ１３１〜１３８を調整することにより、クローズドキャプションのフォーマットを任意に変更することが可能である（例えば、特許文献１参照）。
【特許文献１】特開２００３−９０９６号公報
【発明の開示】
【発明が解決しようとする課題】
【０００５】
ところで、上記ＥＩＡ−７０８規格に準拠したテレビジョン放送受信装置では、各種パラメータ１３１〜１３８の設定は、例えば、図１３に示されるような、ユーザにパラメータ１３１〜１３８を選択させるための選択画像１５０を利用して行われていた。しかしながら、選択画像１５０を利用した従来の方法では、ユーザは、文字色１３３を変更するときは文字色１３３のパラメータを選択し、このパラメータの中から所望する色１３３ａを選択する等して、各パラメータ１３１〜１３８毎に各選択要素１３１ａ〜１３８ａを選択していた。このため、目的とする設定にたどり着くまでに冗長的な手順を要していた。
【０００６】
また、各パラメータ１３１〜１３８を独立して選択するようにしていたため、選択要素１３１ａ〜１３８ａの組み合わせ方によっては、あるパラメータの選択要素を選択した後に、別のパラメータを変更すると、前に選択したパラメータの選択要素が無効となる場合があった。例えば、図１２に示されるように、ＥＩＡ−７０８規格に準拠したパラメータの区分では、文字の不透過度１３７及び背景の不透過度１３８には、透過（TRANSPARENT）の選択要素が含まれるが、文字の不透過度１３７で透過を選択すると、先に選択した文字色１３３、エッジタイプ１３６、及びエッジの色１３５の選択要素が無効になり、また、背景の不透過度１３８で透過を選択すると、背景色１３４が無効になる。このため、ユーザは、目的とする設定にたどり着くまでに、不必要な手順を経由してしまう虞れがあった。
【０００７】
また、実際に字幕情報をテレビ番組に重ねて表示した際に、設定した字幕情報のフォーマットがユーザのイメージと食い違わないようにするために、ユーザが各パラメータ１３１〜１３８を選択する際に、実際の表示体裁をイメージし易いようにすることが望ましい。
【０００８】
本発明は、上記課題を解決するためになされたものであり、ユーザが字幕情報のフォーマットの各種パラメータを設定する際に、冗長的な手順を経ることなく、素早く所望する設定に到達することができるようにすると共に、実際の表示体裁をイメージし易い状態で、各パラメータを選択することができるテレビジョン放送受信装置を提供することを目的とする。
【課題を解決するための手段】
【０００９】
上記目的を達成するために請求項１の発明は、テレビジョン放送信号から字幕情報を抽出する字幕情報抽出手段と、前記字幕情報抽出手段により抽出された字幕情報を、テレビ番組の映像に重ねて、所定フォーマットでモニタ出力する字幕出力手段と、前記字幕出力手段によりモニタ出力する字幕情報のフォーマットを、放送局側で指定されたフォーマットからユーザが所望するフォーマットに変更するために、前記フォーマットに含まれる複数のパラメータを変更するパラメータ変更手段とを備えたテレビジョン放送受信装置であって、前記パラメータは、前記字幕情報のフォントタイプ、サイズ、文字色、背景色、エッジタイプ、エッジの色、文字の不透過度、及び背景の不透過度を含み、前記文字色及び背景色には、透過色が含まれ、前記フォントタイプ及びサイズをユーザに選択させるために、選択可能なフォントタイプ及びサイズをマトリクス状に配列したフォント選択画像を、テレビ番組の映像に重ねてモニタ出力するフォント選択画像表示手段と、前記フォント選択画像表示手段によりモニタ出力されたフォント選択画像の中から、ユーザに所望するフォントタイプ及びサイズを選択させるためのフォント選択手段と、前記文字色及び背景色をユーザに選択させるために、前記フォント選択手段により選択されたフォントタイプ及びサイズについて、選択可能な文字色及び背景色をマトリクス状に配列したカラー選択画像を、テレビ番組の映像に重ねてモニタ出力するカラー選択画像表示手段と、前記カラー選択画像表示手段によりモニタ出力されたカラー選択画像の中から、ユーザに所望する文字色及び背景色を選択させるためのカラー選択手段と、前記エッジタイプ及びエッジの色をユーザに選択させるために、前記カラー選択手段により選択された文字色が透過色以外である場合に、前記フォント選択手段により選択されたフォントタイプ及びサイズ、並びに、前記カラー選択手段により選択された文字色及び背景色について、選択可能なエッジタイプ及びエッジの色をマトリクス状に配列したエッジ選択画像を、テレビ番組の映像に重ねてモニタ出力するエッジ選択画像表示手段と、前記エッジ選択画像表示手段によりモニタ出力されたエッジ選択画像の中から、ユーザに所望するエッジタイプ及びエッジの色を選択させるためのエッジ選択手段と、前記文字及び背景の不透過度をユーザに選択させるために、前記フォント選択手段により選択されたフォントタイプ及びサイズ、前記カラー選択手段により選択された文字色及び背景色、並びに、エッジ選択手段により選択されたエッジタイプ及びエッジの色について、前記カラー選択手段により選択された文字色が透過色である場合には、選択可能な背景の不透過度のみを配列した不透過度選択画像をモニタ出力し、前記カラー選択手段により選択された背景色が透過色である場合には、選択可能な文字の不透過度のみを配列した不透過度選択画像をモニタ出力し、前記カラー選択手段により選択された文字色及び背景色が透過色以外である場合には、選択可能な文字及び背景の不透過度をマトリクス状に配列した不透過度選択画像を、テレビ番組の映像に重ねてモニタ出力する不透過度選択画像表示手段と、前記不透過度選択画像表示手段によりモニタ出力された不透過度選択画像の中から、ユーザに所望する文字の不透過度、及び／又は、背景の不透過度を選択させるための不透過度選択手段とを備え、前記パラメータ変更手段は、前記フォント選択手段、前記カラー選択手段、前記エッジ選択手段、及び前記不透過度選択手段により選択された各パラメータに基づいて、前記字幕出力手段によりモニタ出力する字幕情報のフォーマットを変更することを特徴とする。
【００１０】
請求項２の発明は、テレビジョン放送信号から字幕情報を抽出する字幕情報抽出手段と、前記字幕情報抽出手段により抽出された字幕情報を、テレビ番組の映像に重ねて、所定フォーマットでモニタ出力する字幕出力手段と、前記字幕出力手段によりモニタ出力する字幕情報のフォーマットを、放送局側で指定されたフォーマットからユーザが所望するフォーマットに変更するために、前記フォーマットに含まれる複数のパラメータを変更するパラメータ変更手段とを備えたテレビジョン放送受信装置であって、前記パラメータをユーザに選択させるために、２種類のパラメータの各選択要素をマトリクス状に配列した選択画像を、テレビ番組の映像に重ねてモニタ出力する選択画像表示手段と、前記選択画像表示手段によりモニタ出力された選択画像の中から、ユーザに所望するパラメータを選択させるためのパラメータ選択手段とを備え、前記パラメータ変更手段は、前記パラメータ選択手段により選択された各パラメータに基づいて、前記字幕出力手段によりモニタ出力する字幕情報のフォーマットを変更することを特徴とする。
【００１１】
請求項３の発明は、請求項２に記載の発明において、前記パラメータは、前記字幕情報の文字色、背景色、文字の不透過度、及び背景の不透過度を含み、前記文字色及び背景色には、透過色が含まれ、前記選択画像表示手段は、前記字幕情報の文字色及び背景色をユーザに選択させるためのカラー選択画像をモニタ出力するカラー選択画像表示手段と、前記字幕情報の文字及び背景の不透過度をユーザに選択させるための不透過度選択画像をモニタ出力する不透過度選択画像表示手段とを有し、前記パラメータ選択手段は、前記カラー選択画像表示手段によりモニタ出力されたカラー選択画像の中から、ユーザに所望する文字色及び背景色を選択させるためのカラー選択手段と、前記不透過度選択画像表示手段によりモニタ出力された不透過度選択画像の中から、ユーザに所望する文字の不透過度、及び／又は、背景の不透過度を選択させるための不透過度選択手段とを有し、前記カラー選択画像表示手段は、選択可能な文字色及び背景色をマトリクス状に配列したカラー選択画像をモニタ出力する手段であり、前記不透過度選択画像表示手段は、前記カラー選択手段により選択された文字色及び背景色について、前記カラー選択手段により選択された文字色が透過色である場合には、選択可能な背景の不透過度のみを配列した不透過度選択画像をモニタ出力し、前記カラー選択手段により選択された背景色が透過色である場合には、選択可能な文字の不透過度のみを配列した不透過度選択画像をモニタ出力し、前記カラー選択手段により選択された文字色及び背景色が透過色以外である場合には、選択可能な文字及び背景の不透過度をマトリクス状に配列した不透過度選択画像をモニタ出力する手段であることを特徴とする。
【００１２】
請求項４の発明は、請求項３に記載の発明において、前記パラメータは、前記字幕情報のエッジタイプ及びエッジの色を更に含み、前記選択画像表示手段は、前記エッジタイプ及びエッジの色をユーザに選択させるために、前記カラー選択手段により選択された文字色が透過色以外である場合に、前記カラー選択手段により選択された文字色及び背景色について、選択可能なエッジタイプ及びエッジの色をマトリクス状に配列したエッジ選択画像をモニタ出力するエッジ選択画像表示手段を更に有し、前記パラメータ選択手段は、前記エッジ選択画像表示手段によりモニタ出力されたエッジ選択画像の中から、ユーザに所望するエッジタイプ及びエッジの色を選択させるためのエッジ選択手段を更に有することを特徴とする。
【発明の効果】
【００１３】
請求項１の発明によれば、２種類のパラメータの各選択要素をマトリクス状に配列した選択画像をモニタ出力し、この選択画像に基づいて、ユーザに各パラメータを選択させるので、ユーザは複数の組み合わせを比較しながら、所望する組み合わせを容易に選択することができる。また、選択画像がテレビ番組の映像に重ねてモニタ出力されるので、ユーザは、実際に字幕をテレビ番組の映像に重ねて表示した表示体裁をイメージしながら、各パラメータを選択することができる。
【００１４】
また、文字及び背景の不透過度の選択要素であった透過を、透過色として、文字色及び背景色の選択要素に加えたので、先に選択された文字色及び背景色が、後に選択された不透過度によって無効にされることがない。従って、ユーザは、冗長的な手順を経ることなく、素早く所望する設定に到達することができる。
【００１５】
また、ユーザにより選択された文字色が透過色である場合には、選択可能な背景の不透過度のみを配列した不透過度選択画像をモニタ出力し、ユーザにより選択された背景色が透過色である場合には、選択可能な文字の不透過度のみを配列した不透過度選択画像をモニタ出力し、ユーザにより選択された文字色及び背景色が透過色以外である場合には、選択可能な文字及び背景の不透過度をマトリクス状に配列した不透過度選択画像をモニタ出力して、ユーザに文字及び／又は背景色の不透過度を選択させるので、ユーザにより選択された文字色及び背景色に応じて、不透過度の選択要素の組み合わせを絞ることができる。従って、ユーザは所望する不透過度を選択し易くなる。
【００１６】
更に、ユーザにより選択された文字色が透過色以外である場合にのみ、エッジ選択画像をモニタ出力してユーザにエッジタイプ及びエッジの色を選択させるので、ユーザにより選択された文字色に応じて、エッジタイプ及びエッジの色を選択させる手順を省略することができる。
【００１７】
請求項２の発明によれば、２種類のパラメータの各選択要素をマトリクス状に配列した選択画像をモニタ出力し、この選択画像に基づいて、ユーザに各パラメータを選択させるので、ユーザは複数の組み合わせを比較しながら、所望する組み合わせを容易に選択することができる。また、選択画像がテレビ番組の映像に重ねてモニタ出力されるので、ユーザは、実際に字幕をテレビ番組の映像に重ねて表示した表示体裁をイメージしながら、各パラメータを選択することができる。
【００１８】
請求項３の発明によれば、文字及び背景の不透過度の選択要素であった透過を、透過色として文字色及び背景色の選択要素に加えたので、先に選択された文字色及び背景色が、後に選択された不透過度によって無効にされることがない。また、ユーザにより選択された文字色及び背景色に応じてモニタ出力する不透過度選択画像を変更し、ユーザに文字及び背景の不透過度を選択させるので、ユーザにより選択された文字色及び背景色に応じて、不透過度の選択要素の組み合わせを絞ることができる。従って、ユーザは所望する不透過度を選択し易くなる。
【００１９】
請求項４の発明によれば、ユーザにより選択された文字色が透過色以外である場合にのみ、エッジ選択画像をモニタ出力してユーザにエッジタイプ及びエッジの色を選択させるので、ユーザにより選択された文字色に応じて、エッジタイプ及びエッジの色を選択させる手順を省略することができる。
【発明を実施するための最良の形態】
【００２０】
以下、本発明を具体化した実施形態について図面を参照して説明する。図１に示されるテレビジョン（ＴＶ）放送受信装置１は、アンテナ１０を介してディジタルテレビジョン放送信号（以下、単にＴＶ放送信号という）を受信し、受信したＴＶ放送信号に含まれる映像信号及び音声信号をモニタ装置に出力すると共に、ＴＶ放送信号からＥＩＡ−７０８に準拠したクローズドキャプション（字幕情報）を抽出し、抽出されたクローズドキャプションをテレビ番組の映像に重ねて所定フォーマットでモニタ出力する装置である。
【００２１】
ＴＶ放送受信装置１は、チューナ部１１と、デスクランブラ１２と、ＴＳデコード部１３と、映像・音声デコード部１４と、字幕情報デコード部１５と、オンスクリーンディスプレイ（ＯＳＤ）部１６と、リモコン１７と、リモコン受信部１８と、制御部１９と、メモリ２０とを備えている。
【００２２】
チューナ部１１は指定された周波数の信号を選局して、ＴＶ放送信号の復調、誤り訂正処理を行い、ＴＳ（Transport  Stream）パケットを出力する。デスクランブラ１２は、ＴＳパケットに施されたスクランブル処理を解除する。ＴＳデコード部１３は、多重化された信号から必要なＴＳパケットを分離し、ＴＶ放送受信装置１内の各ブロックへ、それぞれ必要なＴＳパケットを供給する。
【００２３】
映像・音声デコード部１４は、ＴＳデコード部１３により分離された映像、音声ストリームの復号処理を行い、ＴＶ放送受信装置１に接続されたモニタ装置にＯＳＤ部１６を介して、映像・音声信号を出力する。字幕情報デコード部（字幕情報抽出手段）１５は、ＴＳデコード部１３により分離されたクローズドキャプションを含むＴＳパケットの復号処理を行う。ＯＳＤ部１６（字幕出力手段、フォント選択画像表示手段、カラー選択画像表示手段、エッジ選択画像表示手段、不透過度選択画像表示手段）は、字幕情報デコード部１５により抽出されたクローズドキャプションをテレビ番組の映像に重ねて所定フォーマットでモニタ出力すると共に、ユーザがクローズドキャプションのフォーマットを設定する際のユーザインタフェースを提供する。
【００２４】
リモコン１７は、ユーザによって操作される数字キー、カーソルキー、決定キーなどを備えており、各キーの操作に応じたキー操作信号をリモコン受信部１８に送信する。リモコン受信部１８は、リモコン１７からキー操作信号を受信して制御部１９へ送信する。制御部１９は、ＴＶ放送受信装置１全体の制御を行い、後述する字幕フォーマット設定処理を実行することにより、パラメータ変更手段として機能する。なお、リモコン１７は、字幕フォーマット設定処理の際にユーザによって操作され、フォント選択手段、カラー選択手段、エッジ選択手段、及び不透過度選択手段として機能する。
【００２５】
メモリ２０は、クローズドキャプションをモニタ出力する際に、制御部１９にロードされ、実行されるクローズドキャプション表示用プログラムを格納すると共に、クローズドキャプションを表示する際のフォーマットの設定を記憶する。図２に示されるように、このようなフォーマットのパラメータ３０には、フォントタイプ３１、サイズ３２、文字色３３、背景色３４、エッジの色３５、エッジタイプ３６、文字の不透過度３７、及び背景の不透過度３８が含まれている。フォントタイプ３１のパラメータは、８種類の選択要素（フォント０〜フォント７）３１ａを有しており、サイズ３２のパラメータは、３種類の選択要素（大、中及び小）３２ａを有している。文字色３３及び背景色３４の各パラメータは、９種類の選択要素（黒、白、赤、緑、青、黄、マゼンタ（MAGENTA）、シアン（CYAN）及び透過色（TRANSPARENT））３３ａ，３４ａを有している。また、エッジの色３５のパラメータは、８種類の選択要素（黒、白、赤、緑、青、黄、マゼンタ、及びシアン）３５ａを有しており、エッジタイプ３６のパラメータは、６種類の選択要素（エッジなし（NONE）、浮き出し（RAISED）、窪み（DEPRESSED）、均一（UNIFORM）、左下影付き（LEFT  DROP  SHADOW）、右下影付き（RIGHT  DROP  SHADOW））３６ａを有している。また、文字及び背景の不透過度３７，３８のパラメータは、３種類の選択要素（不透過（SOLID）、点滅（FLASH）、半透過（TRANSLUCENT））３７ａ，３８ａを有している。
【００２６】
次に、図３乃至図１１を参照して字幕フォーマット設定処理について説明する。ユーザのリモコン操作により、字幕フォーマット設定メニューが選択されると、ＴＶ放送受信装置１は制御部１９の制御のもと、図４に示されるような、フォントタイプ３１及びサイズ３２をユーザに選択させるためのフォント選択画像５１をモニタ出力する（Ｓ１）。フォント選択画像５１において、縦方向ａにフォントタイプ３１の選択要素３１ａが、横方向ｂにサイズ３２の選択要素３２ａが、マトリクス状に配列されている。本実施形態では、フォント例として「Ａ」を使用した場合について示しているが、他の文字や複数の文字の組み合わせであってもよい。これら選択要素３１ａ〜３８ａの組み合わせは、クローズドキャプション表示用プログラムを利用して、テレビ番組の映像４０に重ねて描画される。ユーザはリモコン１７のカーソルキーを操作して、モニタ画面に映し出されたカーソル４１を操作し、所望するフォントタイプ３１及びサイズ３２を選択する。
【００２７】
なお、字幕フォーマット設定処理では、先に選択されたパラメータについて、後に選択されるパラメータの選択画像がモニタ出力される。例えば、フォント選択画像５１で選択されたフォントタイプ３１が”フォント０”で、サイズ３２が”大”の場合には、その後に選択されるパラメータの選択画像では、”フォント０”及びサイズ”大”のフォントを用いて各パラメータの選択要素の組み合わせが表示される。また、先に選択されたパラメータに基づいて、後に選択されるパラメータの中から選択不可能な選択要素の組み合わせを除外して選択画像が表示される。
【００２８】
ユーザによりフォントタイプ３１及びサイズ３２が選択されると（Ｓ２でＹＥＳ）、ＴＶ放送受信装置１は、図５に示されるような、文字色３３及び背景色３４（実際にはカラーで表示されるが、図５では黒白の濃淡で示している）をユーザに選択させるためのカラー選択画像５２をモニタ出力する（Ｓ３）。カラー選択画像５２おいて、縦方向ａに文字色３３の選択要素３３ａが、横方向ｂに背景色３４の選択要素３４ａが、マトリクス状に配列されている。なお、文字色３３と背景色３４が同じになる組み合わせは、文字が識別できなくなり、クローズドキャプションを表示させる意味がなくなるので、選択できない組み合わせとし、カラー選択画像５２の選択要素の組み合わせとしては表示していない。
【００２９】
ユーザにより文字色及び背景色が選択されると（Ｓ４でＹＥＳ）、文字色３３として透過色が選択されたか否かが判断される（Ｓ５）。文字色３３として透過色が選択されていれば（Ｓ５でＹＥＳ）、ユーザにエッジタイプ３６及びエッジの色３５を選択させるためのステップＳ６〜Ｓ１０が省略される。一方、文字色３３として透過色が選択されていなければ（Ｓ５でＮＯ）、背景色３４として透過色が選択されたか否かが判断され（Ｓ６）、背景色３４として透過色が選択されていれば（Ｓ６でＹＥＳ）、図６に示されるような第１エッジ選択画像５３を表示し（Ｓ７）、背景色３４として透過色が選択されていなければ（Ｓ６でＮＯ）、図７に示されるような第２エッジ選択画像５４を表示して（Ｓ８）、ユーザにエッジタイプ３６及びエッジの色３５を選択させる。第１エッジ選択画像５３及び第２エッジ選択画像５４において、縦方向ａにエッジタイプ３６の選択要素３６ａが、横方向ｂにエッジの色３５の選択要素３５ａが、マトリクス状に配列されている。なお、エッジの色３５と、文字色３３又は背景色３４が同じになる組み合わせは、エッジが識別できなくなり、エッジを表示させる意味がなくなるので、選択できない組み合わせとして、第１エッジ選択画像５３及び第２エッジ選択画像５４に表示していない。従って、文字色３３及び背景色３４が透過色でない場合には、８種類の選択要素から文字色３３及び背景色３４として選択された２色を除いた６色が第２エッジ選択画像５４に表示され、文字色３３が透過色でなく背景色３４が透過色である場合には、８種類の選択要素から文字色３３として選択された１色を除いた７色が第１エッジ選択画像５３に表示される。
【００３０】
そして、ユーザにより文字色３３として透過色が選択された場合（Ｓ５でＹＥＳ）、又はエッジタイプ３６及びエッジの色３５が選択された場合（Ｓ９でＹＥＳ、又はＳ１０でＹＥＳ）、各場合に応じて図８乃至図１０に示されるような不透過度選択画像５５〜５７が表示される（Ｓ１１〜Ｓ１３）。具体的には、ユーザにより文字色３３として透過色が選択されている場合（Ｓ５でＹＥＳ）には、選択可能な背景の不透過度３８のみを縦方向ａに配列（上から不透過、半透過、点滅）した第１不透過度選択画像５５がモニタ出力される。また、ユーザにより背景色３４として透過色が選択されている場合（Ｓ６でＹＥＳ、且つＳ９でＹＥＳ）には、選択可能な文字の不透過度３７のみを横方向ｂに配列（左から不透過、半透過、点滅）した第２不透過度選択画像５６がモニタ出力される。また、ユーザにより文字色３３及び背景色３４として透過色以外が選択されている場合（Ｓ６でＮＯ、且つＳ１０でＹＥＳ）には、選択可能な背景の不透過度３８を縦方向ａに、文字の不透過度３７を横方向ｂに、それぞれマトリクス状に配列した第３不透過度選択画像５７がモニタ出力される。
【００３１】
そして、ユーザにより不透過度３７，３８が選択されると（Ｓ１４でＹＥＳ、Ｓ１５でＹＥＳ、又はＳ１６でＹＥＳ）、選択された各パラメータに基づいて、図１１に示されるサンプル画像５８が表示される（Ｓ１７）。ユーザはサンプル画像５８を参照して、設定したクローズドキャプションのフォーマットがイメージ通りか確認し、設定したクローズドキャプションのフォーマットでよければＯＫボタン４２を選択する（Ｓ１８でＹＥＳ）。一方、設定したクローズドキャプションのフォーマットが気に入らなければＲＥＴＲＹボタン４３を選択して（Ｓ１８でＮＯ）、Ｓ１に戻って各パラメータを選択し直すこととなる。制御部１９は、ユーザによりＯＫボタン４２が選択されると（Ｓ１８でＹＥＳ）、上記により選択された各パラメータに基づいて、クローズドキャプションを表示する際のパラメータを変更し、その内容をメモリ２０に記憶する（Ｓ１９）。
【００３２】
制御部１９は、ＯＳＤ部１６によりクローズドキャプションをモニタ出力させる際、メモリ２０に記憶されたフォーマットの設定に基づいて、クローズドキャプションを所定フォーマットでテレビ番組の映像に重ねてモニタ出力させる。なお、ＴＶ放送受信装置１は、上記字幕フォーマット設定処理により、クローズドキャプションのフォーマットが変更されていなければ、放送局側で指定されたフォーマットによりクローズドキャプションを表示する。
【００３３】
本実施形態のＴＶ放送受信装置１によれば、２種類のパラメータの各選択要素をマトリクス状に配列した選択画像５１〜５７をモニタ出力し、この選択画像５１〜５７に基づいて、ユーザに各パラメータを選択させるので、ユーザは複数の組み合わせを比較しながら、所望する組み合わせを容易に選択することができる。また、選択画像５１〜５７がテレビ番組の映像４０に重ねてモニタ出力されるので、ユーザは、実際にクローズドキャプションをテレビ番組の映像４０に重ねて表示した表示体裁をイメージしながら、各パラメータ３１〜３８を選択することができる。
【００３４】
また、文字及び背景の不透過度３７，３８の選択要素であった透過を、透過色として、文字色３３及び背景色３４の選択要素３３ａ，３４ａに加えたので、先に選択された文字色３３及び背景色３４が、後に選択された不透過度３７，３８によって無効にされることがない。従って、ユーザは、冗長的な手順を経ることなく、素早く所望する設定に到達することができる。
【００３５】
また、ユーザにより選択された文字色３３が透過色である場合には、選択可能な背景の不透過度３８のみを配列した第１不透過度選択画像５５をモニタ出力し、ユーザにより選択された背景色３４が透過色である場合には、選択可能な文字の不透過度３７のみを配列した第２不透過度選択画像５６をモニタ出力し、ユーザにより選択された文字色３３及び背景色３４が透過色以外である場合には、選択可能な文字及び背景の不透過度３７，３８をマトリクス状に配列した第３不透過度選択画像５７をモニタ出力して、ユーザに文字及び／又は背景色の不透過度３７，３８を選択させるので、ユーザにより選択された文字色３３及び背景色３４に応じて、不透過度３７，３８の選択要素３７ａ，３８ａの組み合わせを絞ることができる。従って、ユーザは所望する不透過度３７，３８を選択し易くなる。
【００３６】
更に、ユーザにより選択された文字色３３が透過色以外である場合にのみ、エッジ選択画像５３，５４をモニタ出力してユーザにエッジタイプ３６及びエッジの色３５を選択させるので、ユーザにより選択された文字色３３に応じて、エッジタイプ３６及びエッジの色３５を選択させる手順を省略することができる。
【００３７】
なお、本発明は上記実施形態の構成に限られることなく種々の変形が可能である。例えば、字幕情報は、ＥＩＡ−７０８規格に準じたクローズドキャプションでなくてもよく、ＥＩＡ−６０８規格に準じたクローズドキャプションやその他の字幕情報であってもよい。
【図面の簡単な説明】
【００３８】
【図１】本発明の一実施形態によるＴＶ放送受信装置の構成を示すブロック図。
【図２】同受信装置において利用されるクローズドキャプションのパラメータの説明図。
【図３】同受信装置による字幕フォーマット設定処理を示すフローチャート。
【図４】同処理の際に表示されるフォント選択画像を示す図。
【図５】同処理の際に表示されるカラー選択画像を示す図。
【図６】同処理の際に表示される第１エッジ選択画像を示す図。
【図７】同処理の際に表示される第２エッジ選択画像を示す図。
【図８】同処理の際に表示される第１不透過度選択画像を示す図。
【図９】同処理の際に表示される第２不透過度選択画像を示す図。
【図１０】同処理の際に表示される第３不透過度選択画像を示す図。
【図１１】同処理の際に表示されるサンプル画像を示す図。
【図１２】従来例によるクローズドキャプションのパラメータの説明図。
【図１３】従来例による同パラメータの選択画像を示す図。
【符号の説明】
【００３９】
１    テレビジョン放送受信装置
１０  アンテナ
１１  チューナ部
１２  デスクランブラ
１３  ＴＳデコード部
１４  映像・音声デコード部
１５  字幕情報デコード部
１６  ＯＳＤ部
１７  リモコン
１８  リモコン受信部
１９  制御部
２０  メモリ
【図１】
2006041749.tif 000003
【図２】
2006041749.tif 000004
【図３】
2006041749.tif 000005
【図４】
2006041749.tif 000006
【図５】
2006041749.tif 000007
【図６】
2006041749.tif 000008
【図７】
2006041749.tif 000009
【図８】
2006041749.tif 000010
【図９】
2006041749.tif 000011
【図１０】
2006041749.tif 000012
【図１１】
2006041749.tif 000013
【図１２】
2006041749.tif 000014
【図１３】
2006041749.tif 000015